(57)【特許請求の範囲】
【請求項１】
移動可能な被ガイド部と、
鉛直方向下側の下降位置と、該下降位置より上側であり前記被ガイド部が保持される被保持領域との間で、前記被ガイド部を案内するガイドレールと、を備え、
前記被保持領域には、
前記被ガイド部の下端部を支持可能な支持部と、
前記被ガイド部の前記下端部を前記支持部へ案内可能な案内面と、
前記被ガイド部の上方への移動に伴って前記被ガイド部の前記下端部を前記案内面の上部へ誘うように、前記被ガイド部の姿勢を変化させる第１ガイド手段と、
前記被保持領域には、前記被ガイド部の上方への移動に伴って前記被ガイド部の上端部を前記第１ガイド手段へ案内する第２ガイド手段と、を備え、
前記第１ガイド手段は、前記ガイドレールによって案内される前記被ガイド部が移動する軌跡である案内軌跡の延長線上からずれた位置に設けられており、
前記支持部は、前記ガイドレールを基準とした前記第１ガイド手段が前記ずれた位置側に設けられている構成であることを特徴とする記録装置。
【請求項２】
請求項１に記載の記録装置において、前記被ガイド部が、前記下降位置から前記被保持領域へ移動した際、
前記第１ガイド手段が、前記被ガイド部の前記下端部を前記案内面の上部へ誘うように、前記被ガイド部の姿勢を変化させ、
前記被ガイド部の自重によって、前記被ガイド部の前記下端部が前記案内面と接触し、前記下端部が前記案内面に案内されながら前記支持部まで移動し、前記支持部によって前記被ガイド部が支持される構成である記録装置。
【請求項３】
請求項１または２に記載の記録装置において、前記被ガイド部は、媒体を支持する媒体サポート部材の一部であり、
前記媒体サポート部材が記録装置のケースから引き出され、媒体を支持可能な状態では、前記被ガイド部は、前記被保持領域における前記支持部に支持されており、
前記媒体サポート部材が記録装置の前記ケースに収納された状態では、前記被ガイド部は、前記下降位置に位置する構成であり、
前記媒体サポート部材が記録装置の前記ケースから引き出された際、前記媒体サポート部材の自重によって、前記被ガイド部の前記下端部が前記案内面と接触し、前記下端部が前記案内面に案内されながら前記支持部まで移動することによって、前記媒体サポート部材の姿勢が前記ガイドレールの案内方向に対して傾き、前記ケースに対する前記媒体サポート部材の姿勢が所定の姿勢となる構成である記録装置。
【発明の詳細な説明】
【技術分野】
【０００１】
本発明は、移動可能な被ガイド部と、該被ガイド部を案内するガイドレールと、を備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、プリンターの後方には、引き出し可能なペーパーサポートが設けられていた。そして、ペーパーサポートを使用する際、先ず、収納部に収納されたペーパーサポートを案内溝の方向に沿って引き出していた。次に、引き出したときの角度より水平に近い角度に傾けていた。これにより、用紙をペーパーサポート上にセットすることができた。
【先行技術文献】
【特許文献】
【０００３】
【特許文献１】特開２００４−０５１３５８号公報
【発明の概要】
【発明が解決しようとする課題】
【０００４】
しかしながら、ユーザーが、収納された状態のペーパーサポートを使用可能な状態にするためには、引き出す操作と、所定の角度に倒す操作とが必要であり、操作性が十分ではなかった。  
また、ペーパーサポートの位置、姿勢を保持するために案内溝に対して突起部とばね部品とを用いて付勢する構成であり、部品点数に問題があった。
【０００５】
本発明は、このような状況に鑑み成されたものであり、その課題は、移動可能な被ガイド部の操作性および部品点数を考慮した記録装置を提供することである。
【課題を解決するための手段】
【０００６】
上記課題を達成するため、本発明の第１の態様の記録装置は、移動可能な被ガイド部と、鉛直方向下側の下降位置と、該下降位置より上側であり前記被ガイド部が保持される被保持領域との間で、前記被ガイド部を案内するガイドレールと、を備え、前記被保持領域には、前記被ガイド部の下端部を支持可能な支持部と、前記被ガイド部の前記下端部を前記支持部へ案内可能な案内面と、前記被ガイド部の上方への移動に伴って前記被ガイド部の前記下端部を前記案内面の上部へ誘うように、前記被ガイド部の姿勢を変化させる第１ガイド手段と、が設けられていることを特徴とする。
【０００７】
本態様によれば、前記下降位置に位置する被ガイド部を上方の前記被保持領域まで引っ張って移動させて手を離すだけのワンアクションで、前記被ガイド部を前記被保持領域で所定の姿勢にすることができる。つまり、操作性がよい。  
例えば、前記被ガイド部が、媒体を支持する媒体サポート部材の一部であるとする。そして、前記媒体サポート部材が記録装置のケースから引き出され、媒体を支持可能な状態では、前記被ガイド部は、前記被保持領域における前記支持部に支持されているとする。また、前記媒体サポート部材が記録装置の前記ケースに収納された状態では、前記被ガイド部は、前記下降位置に位置する構成であるとする。
【０００８】
係る場合、ユーザーが、前記媒体サポート部材を記録装置の前記ケースから引き出す。このとき、前記被ガイド部が前記被保持領域まで移動する。そして、ユーザーが前記媒体サポート部材から手を離す。すると、前記媒体サポート部材の自重によって、前記被ガイド部の前記下端部が前記案内面と接触し、前記下端部が前記案内面に案内されながら前記支持部まで移動する。
【０００９】
これによって、前記媒体サポート部材の姿勢が前記ガイドレールの案内方向に対して傾き、前記ケースに対する前記媒体サポート部材の姿勢が所定の姿勢となる。つまり、ユーザーは、前記媒体サポート部材を引っ張り出して手を離すだけのワンアクションで、前記媒体サポート部材を所定の姿勢にすることができる。  
また、前記媒体サポート部材を一部材で構成することができ、従来のペーパーサポートの構成と比較して部品点数を少なくすることができる。
【００１０】
本発明の第２の態様は、第１の態様において、前記被ガイド部が、前記下降位置から前記被保持領域へ移動した際、前記第１ガイド手段が、前記被ガイド部の前記下端部を前記案内面の上部へ誘うように、前記被ガイド部の姿勢を変化させ、前記被ガイド部の自重によって、前記被ガイド部の前記下端部が前記案内面と接触し、前記下端部が前記案内面に案内されながら前記支持部まで移動し、前記支持部によって前記被ガイド部が支持される構成であることを特徴とする。  
本態様によれば、第１の態様と同様の作用効果に加え、前記自重によって、前記被ガイド部の姿勢が所定の姿勢になる。特に、前記被ガイド部が、媒体を支持する媒体サポート部材の一部である場合に、本態様の構成は有効である。
【００１１】
本発明の第３の態様は、第１または第２の態様において、前記被保持領域には、前記被ガイド部の上方への移動に伴って前記被ガイド部の上端部を前記第１ガイド手段へ案内する第２ガイド手段が設けられており、前記第１ガイド手段は、前記ガイドレールによって案内される前記被ガイド部が移動する軌跡である案内軌跡の延長線上からずれた位置に設けられており、前記支持部は、前記ガイドレールを基準とした前記第１ガイド手段が前記ずれた位置側に設けられている構成であることを特徴とする。
【００１２】
本態様によれば、第１または第２の態様と同様の作用効果に加え、前記被ガイド部が、引き上げられる部材における下側の一部である場合に、該下側の位置を、前記ガイドレールの案内軌跡の延長線上からずれた位置側へ変位させることができる。係る場合、前記引き上げられる部材の上端を前記ガイドレールの案内方向へ沿って真っ直ぐ引き上げるだけで、前記引き上げられる部材の下側を上方へ移動させながら前記ずれた位置側へ変位させることができる。
【００１３】
例えば、前記媒体サポート部材の上端を摘んで、前記ガイドレールの案内方向に沿って引き上げるだけで、前記媒体サポート部材の下端側の位置が側視前記ずれた位置側へ変位し、前記被ガイド部の前記下端部が前記案内面の上部へ変位する。つまり、前記媒体サポート部材の上端は、略真っ直ぐ上方へ移動し、前記媒体サポート部材の下側は、上方へ移動しながら前記ずれた位置側へ変位する。この際、前記媒体サポート部材の上端は、前記ずれた位置側へ殆ど変位しないので、前記媒体サポート部材を引き上げる際の操作性をよりよくすることができる。  
また、前記被ガイド部の前記下端部を前記案内面の上部へ移動させやすい。
【００１４】
本発明の第４の態様は、第１から第３のいずれか一の態様において、前記被ガイド部は、媒体を支持する媒体サポート部材の一部であり、前記媒体サポート部材が記録装置のケースから引き出され、媒体を支持可能な状態では、前記被ガイド部は、前記被保持領域における前記支持部に支持されており、前記媒体サポート部材が記録装置の前記ケースに収納された状態では、前記被ガイド部は、前記下降位置に位置する構成であり、前記媒体サポート部材が記録装置の前記ケースから引き出された際、前記媒体サポート部材の自重によって、前記被ガイド部の前記下端部が前記案内面と接触し、前記下端部が前記案内面に案内されながら前記支持部まで移動することによって、前記媒体サポート部材の姿勢が前記ガイドレールの案内方向に対して傾き、前記ケースに対する前記媒体サポート部材の姿勢が所定の姿勢となる構成であることを特徴とする。
【００１５】
本態様によれば、第１から第３のいずれか一の態様と同様の作用効果に加え、前記被ガイド部は、媒体を支持する媒体サポート部材の一部である場合に、前記被保持領域を有する構成は特に有効である。
【図面の簡単な説明】
【００１６】
【図１】本実施例のプリンター複合機を示す斜視図。
【図２】本実施例のプリンター複合機の内部の概略を示す側断面図。
【図３】本実施例の収納時の媒体サポート部材を示す側断面図。
【図４】本実施例の引き上げ途中の媒体サポート部材を示す側断面図。
【図５】本実施例の引き上げた際の媒体サポート部材を示す側断面図。
【図６】（Ａ）〜（Ｄ）は引き上げた際の被ガイド部の動きを示す側断面図。
【図７】本実施例の使用時の媒体サポート部材を示す側断面図。
【図８】本実施例の収納する際の媒体サポート部材を示す側断面図。
【発明を実施するための形態】
【００１７】
以下、本発明の実施の形態を図面に基づいて説明する。  
図１に示すのは、本実施例のプリンター複合機１全体を示す前方斜視図である。また、図２に示すのは、本実施例のプリンター複合機１の内部の概略を示す側断面図である。  
図１および図２に示す如く、本実施例のプリンター複合機１は、プリンター本体２と、媒体搬送装置３３とを備えている。
【００１８】
このうち、プリンター本体２は、スキャナー部１２と、載置部１３と、送り手段１６と、送り経路２３と、記録部２５と、第１排出スタッカー３１と、ケース３と、を備えている。  
スキャナー部１２は、プリンター本体２における媒体搬送装置３３側である上方（Ｚ軸の矢印方向）に配設されている。ここで、Ｚ軸は、鉛直方向である。  
そして、スキャナー部１２は、媒体搬送装置３３によって、送られた用紙Ｓの面に記録された写真や文書等の情報を読み取ることができるように構成されている。
【００１９】
また、載置部１３は、被記録媒体の一例である用紙Ｐを載置することができるように設けられている。本実施例では第１載置部１４と、第２載置部１５とがある。第１載置部１４は、プリンター本体２の後方に設けられた媒体サポート部材１４ａおよびホッパー１４ｂである。このうち、ホッパー１４ｂは、上方（Ｚ軸の矢印方向）を中心に下方が後述する第１ローラー１７に対して接離移動することができるように構成されている。一方、第２載置部１５は、プリンター本体２の下方に着脱可能に設けられたカセット部１５ａである。
【００２０】
また、送り手段１６は、載置部１３に載置された用紙Ｐを記録部２５へ送ることができるように設けられている。具体的に、本実施例の送り手段１６は、第１ローラー１７と、第２ローラー１８と、第３ローラー１９と、第１ローラー対２１と、第２ローラー対２２とを有している。このうち、第１ローラー１７は、第１ローラー１７に対してホッパー１４ｂの下方が接近したとき、最上位の用紙Ｐと接触し、送り方向下流側の第２ローラー１８へ送ることができるように設けられている。
【００２１】
また、第３ローラー１９は、カセット部１５ａに対して接離移動可能なアーム部２０の自由端に設けられている。そして、カセット部１５ａにおける最上位に用紙Ｐと接触し、用紙Ｐを送り方向下流側の第２ローラー１８へ送ることができるように設けられている。またさらに、第２ローラー１８は、第１ローラー１７および第３ローラー１９によって送られてきた用紙Ｐをさらに下流側の第１ローラー対２１へ送ることができるように設けられている。
【００２２】
また、第１ローラー対２１は、記録時の送り方向下流側（Ｙ軸の矢印方向）の記録部２５および第２ローラー対２２へ用紙Ｐを送ることができるように設けられている。またさらに、第２ローラー対２２は、記録部２５より記録時の送り方向下流側に設けられており、記録部２５によって記録された用紙Ｐを第１排出スタッカー３１へ排出することができるように設けられている。
【００２３】
またさらに、送り経路２３は、用紙Ｐが送られる経路であり、案内部材によって構成されている。具体的には、用紙Ｐを載置部１３から記録部２５を介して第１排出スタッカー３１まで案内することができるように構成されている。  
また、記録部２５は、送り手段１６によって送られた用紙Ｐに対してインクを吐出して記録を実行することができるように構成されている。具体的には、記録部２５は、キャリッジ２６と、記録ヘッド２７と、媒体支持部２８とを有している。
【００２４】
このうち、キャリッジ２６は、一例として図示しないモーターの動力によって用紙Ｐの幅方向Ｘに延設された図示しないガイド部材にガイドされながら移動することができるように構成されている。また、記録ヘッド２７は、キャリッジ２６における用紙Ｐと対向する側に設けられている。さらに、記録ヘッド２７における用紙Ｐと対向する面には、インクを吐出するノズル（図示せず）が形成されている。またさらに、媒体支持部２８は、記録ヘッド２７と対向する位置に設けられており、用紙Ｐと記録ヘッド２７との間の距離を所定の長さに保つことができるように構成されている。  
またさらに、第１排出スタッカー３１は、記録された用紙Ｐを載置することができるように設けられている。また、第１排出スタッカー３１は伸縮自在に設けられている。
【００２５】
尚、送り経路２３とは別に、用紙Ｐの裏表を反転させるための表裏反転用経路２４が設けられている。両面記録モードの場合、用紙Ｐの表面に対しての記録後に、第１ローラー対２１および第２ローラー対２２によって用紙Ｐは、記録時の送り方向Ｙと逆方向へ逆送りされる。そして、表裏反転用経路２４へ送られ、第２ローラー１８の下側から上側へ回り込んで再び第１ローラー対２１へ送られる。この際、既に記録された表面が媒体支持部２８側となり、まだ記録されていない裏面が記録ヘッド２７側となる。そして、第１ローラー対２１によって記録時の送り方向下流側へ送られ、記録部２５によって裏面に対して記録が実行されるように構成されている。
【００２６】
また、ケース３は、プリンター本体２の筐体である。送り経路２３等を覆うように構成されている。  
一方、媒体搬送装置３３は、プリンター本体２の上方（Ｚ軸の矢印方向）に配設されている。詳しい図示は省略するが、プリンター本体２側のスキャナー部１２と対向する所定位置に対して第３載置部３４に載置された用紙Ｓを搬送経路（図示せず）によって送ることができるように設けられている。そして、スキャナー部１２によって用紙Ｓの面に記録された情報が読み取られる。その後、媒体搬送装置３３は、用紙Ｓを第２排出スタッカー３５まで送って排出することができるように設けられている。
【００２７】
続いて、本実施例の媒体サポート部材１４ａについて、特に引き出す際の動作を説明しながら詳しく説明する。  
図３に示すのは、本実施例の収納時の媒体サポート部材１４ａを示す側断面図である。尚、媒体サポート部材１４ａの被ガイド部１１の位置および姿勢の理解を容易にするために、媒体サポート部材１４ａを鎖線で示すこととする（以下同様）。
【００２８】
図３に示す如く、媒体サポート部材１４ａにおける幅方向Ｘの両側には被ガイド部１１が形成されている。  
尚、本実施例では、媒体サポート部材１４ａにおける幅方向Ｘの両側の一方について説明することとし、他方については、一方と同様であるので、その説明は省略する（以下同様）。
【００２９】
そして、ケース３に形成されたガイドレール４によって、媒体サポート部材１４ａの被ガイド部１１が案内されるように構成されている。具体的には、媒体サポート部材１４ａがケース３に収納されたときに被ガイド部１１が位置する下降位置３６と、媒体サポート部材１４ａがケース３から引き出された際に被ガイド部１１が位置する被保持領域５との間を、ガイドレール４が被ガイド部１１を案内するように構成されている。
【００３０】
下降位置３６は、ガイドレール４の略鉛直方向下端である。そして、ガイドレール４は、下降位置３６から略鉛直方向上方の被保持領域５へ延設されている。  
また、被保持領域５には、支持部６と、案内面としての傾斜案内面７と、第１ガイド手段８と、第２ガイド手段１０とが設けられている。  
ここでは、簡単に説明するが、支持部６は、被ガイド部１１の下端部１１ａを支持可能に設けられている。
【００３１】
また、傾斜案内面７は、被ガイド部１１の下端部１１ａを支持部６へ案内可能に水平方向に対して傾いている。またさらに、第１ガイド手段８は、被ガイド部１１の上方への移動に伴って被ガイド部１１の姿勢を変化させることができるように設けられている。また、第２ガイド手段１０は、被ガイド部１１の上方への移動に伴って被ガイド部１１の上端部１１ｂを第１ガイド手段８へ案内することができるように設けられている。
【００３２】
図４に示すのは、本実施例の引き上げ途中の媒体サポート部材１４ａを示す側断面図である。  
図４に示す如く、図３の状態から、ユーザーが媒体サポート部材１４ａの上部を摘んで、略鉛直方向上方へ媒体サポート部材１４ａを持ち上げるようにしてケース３から引き出す。この際、媒体サポート部材１４ａの被ガイド部１１は、ガイドレール４に案内されながら、上方へ移動する。
【００３３】
図５に示すのは、本実施例の引き上げた際の媒体サポート部材１４ａを示す側断面図である。  
図５に示す如く、図４の状態から、ユーザーが媒体サポート部材１４ａをさらに上方へ持ち上げるようにしてケース３から引き出す。すると、被ガイド部１１がガイドレール４に案内されて、被保持領域５へ入る。この際、被ガイド部１１の上端部１１ｂが第２ガイド手段１０によって第１ガイド手段８へ案内される。そして、第１ガイド手段８によって、被ガイド部１１の下端部１１ａを傾斜案内面７の上部へ誘うように、被ガイド部１１の姿勢が変化する。この際の被ガイド部１１の様子について、さらに詳しく説明する。
【００３４】
図６（Ａ）〜（Ｄ）に示すのは、引き上げた際の被ガイド部１１の動きを示す側断面図である。  
図６（Ａ）に示す如く、ユーザーが媒体サポート部材１４ａを略鉛直方向上方へ引き上げると、被ガイド部１１が被保持領域５に入る。そして、被ガイド部１１が被保持領域５に入った際、被ガイド部１１の姿勢によっては、被ガイド部１１の上端部１１ｂが第２ガイド手段１０の傾斜面１０ａと当接する。ここで、傾斜面１０ａは、ガイドレール４の案内方向である鉛直方向Ｚに対して傾斜した面である。そして、被ガイド部１１の上方へ移動に伴って、第２ガイド手段１０が、被ガイド部１１の上端部１１ｂを第１ガイド手段８へ案内するように構成されている。
【００３５】
ここで、第１ガイド手段８は、Ｘ軸方向から見て、ガイドレール４によって案内される被ガイド部１１が移動する軌跡である案内軌跡Ａの延長線Ａ１上からずれた位置に設けられている。そして、被ガイド部１１が被保持領域５に入った際の移動方向が略鉛直方向上方である場合に、被ガイド部１１の上端部１１ｂが第２ガイド手段１０の傾斜面１０ａと当接し、第２ガイド手段１０によって、被ガイド部１１の上端部１１ｂが第１ガイド手段８へ案内される構成である。
【００３６】
尚、被ガイド部１１が被保持領域５に入った際の移動方向が略鉛直方向上方ではなく、ガイドレール４の案内軌跡Ａの延長線Ａ１からずれた第１ガイド手段８に向かう方向であれば、被ガイド部１１の上端部１１ｂは、第２ガイド手段１０の傾斜面１０ａと当接しない。つまり、常に第２ガイド手段１０によって、被ガイド部１１の上端部１１ｂが第１ガイド手段８へ案内されるわけではなく、第２ガイド手段１０を有しない構成でもよい。
【００３７】
図６（Ｂ）に示す如く、図６（Ａ）の状態からユーザーが媒体サポート部材１４ａをさらに上方へ引き上げると、被ガイド部１１が上方へさらに移動する。すると、被ガイド部１１の上端部１１ｂが第１ガイド手段８と当接する。そして、被ガイド部１１の上方への移動に伴って、第１ガイド手段８が、被ガイド部１１の下端部１１ａを傾斜案内面７の上部へ誘うように、被ガイド部１１の姿勢を変化させる。
【００３８】
具体的には、被ガイド部１１の下端部１１ａの位置が傾斜案内面７の上部となると共に、被ガイド部１１は、下端部１１ａが支持部６側に接近するように鉛直方向Ｚに対して傾いた姿勢となる。このとき、媒体サポート部材１４ａの上方がプリンター複合機１の後方へ倒れる方向へ、媒体サポート部材１４ａの姿勢も鉛直方向Ｚに対して傾いた姿勢となる。媒体サポート部材１４ａの傾きの程度は、後述するように僅かでよい。  
尚、第１ガイド手段８の作用を得るためには、第１ガイド手段８自体の形状および被ガイド部１１自体の形状だけでなく、第１ガイド手段８の寸法および被ガイド部１１の寸法をも決める必要があり、これらは画一的に決められるものではない。
【００３９】
図６（Ｃ）に示す如く、図６（Ｂ）の状態から、ユーザーが媒体サポート部材１４ａから手を離すと、媒体サポート部材１４ａの自重によって被ガイド部１１は、前記傾いた姿勢のまま鉛直方向下方へ移動する。ここで、前記手を離す直前において、被ガイド部１１の下端部１１ａは、傾斜案内面７の上部に位置している。従って、前記手を離すと、被ガイド部１１の下端部１１ａは、傾斜案内面７と当接する。
【００４０】
図６（Ｄ）に示す如く、図６（Ｃ）の状態から、傾斜案内面７が、被ガイド部１１の下端部１１ａを支持部６へ案内する。そして、支持部６によって、被ガイド部１１の下端部１１ａが支持される。また、被ガイド部１１の上端部１１ｂが、第１ガイド手段８の当接部９と当接する。これらにより、被ガイド部１１の姿勢が保持される。つまり、被ガイド部１１の鉛直方向Ｚに対する傾きが図６（Ｂ）および図６（Ｃ）のときの傾きより大きくなった状態で、被ガイド部１１の姿勢が保持される。これに伴い、媒体サポート部材１４ａの姿勢は、媒体サポート部材１４ａの上方がプリンター複合機１の後方へ倒れる方向へ、鉛直方向Ｚに対して所定の角度で傾いた状態となる。言い換えると、媒体サポート部材１４ａの姿勢は、ケース３に対して所定の角度で傾いた状態となる。
【００４１】
ここで、被ガイド部１１の下端部１１ａが傾斜案内面７に案内されて支持部６まで移動する原理は、媒体サポート部材１４ａの自重によって、水平方向に対して傾斜した傾斜案内面７を、被ガイド部１１が滑り降りるようにして移動する構成でもよい。  
また、既に鉛直方向Ｚに対して媒体サポート部材１４ａの上方がプリンター複合機１の後方へ倒れる方向へ、媒体サポート部材１４ａの姿勢が前述したように僅かに傾いている。そして、媒体サポート部材１４ａの自重によって、さらに傾こうとすることで、被ガイド部１１の下端部１１ａが傾斜案内面７に案内されて支持部６まで移動する構成でもよい。係る場合、傾斜案内面７は水平方向に対して傾いていなくてもよい。
【００４２】
図７に示すのは、本実施例の使用時の媒体サポート部材１４ａを示す側断面図である。  
図７に示す如く、被ガイド部１１の姿勢が図６（Ｄ）の状態になると、媒体サポート部材１４ａの姿勢は、前述したように、鉛直方向Ｚに対して所定の角度で傾いた状態となる。その結果、前述したように、用紙Ｐを第１載置部１４のホッパー１４ｂおよび媒体サポート部材１４ａに載置することができる。
【００４３】
以上、説明したように、ユーザーは、媒体サポート部材１４ａの上部を摘んで、略鉛直方向上方へ持ち上げるようにしてケース３から媒体サポート部材１４ａを引っ張り出して、手を離すだけで、媒体サポート部材１４ａを鉛直方向Ｚに対して所定の角度で傾いた状態にすることができる。つまり、媒体サポート部材１４ａを引っ張り上げるだけのワンアクションだけでよく、所定の角度にわざわざ媒体サポート部材１４ａを傾ける必要がない。その結果、操作性が非常によい。  
また、被ガイド部１１を含む媒体サポート部材１４ａを一部材で成形することができるので、部品点数を従来の構成と比較して少なくすることができる。
【００４４】
続いて、媒体サポート部材１４ａを収納する際の動作について説明する。  
図８に示すのは、本実施例の収納する際の媒体サポート部材１４ａを示す側断面図である。  
図８に示す如く、図７に示す状態から、ユーザーは、媒体サポート部材１４ａの上部をプリンター複合機１の前方へ傾けるように、媒体サポート部材１４ａの姿勢を変える。すると、被ガイド部１１の上端部１１ｂが第１ガイド手段８と当接することで、被ガイド部１１の上端部１１ｂまたはその近傍を中心として、媒体サポート部材１４ａが揺動する。
【００４５】
この際、被ガイド部１１の下端部１１ａが、支持部６から傾斜案内面７を上るように移動し、傾斜案内面７から外れる。つまり、被ガイド部１１が被保持領域５において支持されていない状態となる。従って、媒体サポート部材１４ａの自重によって被ガイド部１１は、ガイドレール４に沿って下降位置３６まで移動可能な状態となる。そして、ユーザーが、媒体サポート部材１４ａから手を離すと、媒体サポート部材１４ａの自重によって被ガイド部１１は、ガイドレール４に沿って下降位置３６まで移動する。その結果、媒体サポート部材１４ａは、ケース３内に収納された状態となる。
【００４６】
尚、媒体サポート部材１４ａを収納する際、ユーザーが手を添えて媒体サポート部材１４ａを収納してもよいのは勿論である。  
また、上記実施例では、被ガイド部１１を媒体サポート部材１４ａの一部として、媒体サポート部材１４ａの引き出しおよび収納について説明したが、被ガイド部１１は、媒体サポート部材１４ａの一部に限らない。その他、ケース３から引き出される構成の部材の一部でもよい。
【００４７】
またさらに、上記実施例では、媒体サポート部材１４ａを引き出した際、媒体サポート部材１４ａがプリンター複合機１の後方へ傾く構成としたが、傾く方向はこれに限らない。技術的思想としては、被ガイド部１１を有する部材が上方へ引き出され、ユーザーが手を離した際、鉛直方向Ｚに対して傾いた所定の姿勢となればよい。例えば、被ガイド部１１を有する部材が引き出され、ユーザーが手を離した際、プリンター複合機１の前方へ傾く構成でもよい。
【００４８】
また、上記実施例では、媒体サポート部材１４ａを引き出した後、被ガイド部１１が支持部６および当接部９と当接することにより、媒体サポート部材１４ａの姿勢が保持される構成としたが、これに限らない。支持部６を側視凹形状にして被ガイド部１１の下端部１１ａが支持部６に嵌るようにして、媒体サポート部材１４ａの姿勢が保持される構成でもよい。つまり、当接部９を有しない構成でもよい。
【００４９】
本実施例の記録装置としてのプリンター本体２は、移動可能な被ガイド部１１と、鉛直方向下側の下降位置３６と、下降位置３６より上側であり被ガイド部１１が保持される被保持領域５との間で、被ガイド部１１を案内するガイドレール４と、を備え、被保持領域５には、被ガイド部１１の下端部１１ａを支持可能な支持部６と、被ガイド部１１の下端部１１ａを支持部６へ案内可能な案内面としての傾斜案内面７と、被ガイド部１１の上方への移動に伴って被ガイド部１１の下端部１１ａを傾斜案内面７の上部へ誘うように、被ガイド部１１の姿勢を変化させる第１ガイド手段８と、が設けられていることを特徴とする。
【００５０】
また、本実施例において、被ガイド部１１が、下降位置３６から被保持領域５へ移動した際、第１ガイド手段８が、被ガイド部１１の下端部１１ａを傾斜案内面７の上部へ誘うように、被ガイド部１１の姿勢を変化させ、被ガイド部１１の自重によって、被ガイド部１１の下端部１１ａが傾斜案内面７と接触し、下端部１１ａが傾斜案内面７に案内されながら支持部６まで移動し、支持部６によって被ガイド部１１が支持される構成であることを特徴とする。
【００５１】
またさらに、本実施例において、被保持領域５には、被ガイド部１１の上方への移動に伴って被ガイド部１１の上端部１１ｂを第１ガイド手段８へ案内する第２ガイド手段１０が設けられており、第１ガイド手段８は、ガイドレール４によって案内される被ガイド部１１が移動する軌跡である案内軌跡Ａの延長線Ａ１上から側視ずれた位置に設けられており、支持部６は、ガイドレール４を基準とした第１ガイド手段８が前記ずれた位置側に設けられている構成であることを特徴とする。
【００５２】
また、本実施例において、被ガイド部１１は、媒体の一例である用紙Ｐを支持する媒体サポート部材１４ａの一部であり、媒体サポート部材１４ａがプリンター本体２のケース３から引き出され、用紙Ｐを支持可能な状態では、被ガイド部１１は、被保持領域５における支持部６に支持されており、媒体サポート部材１４ａがプリンター本体２のケース３に収納された状態では、被ガイド部１１は、下降位置３６に位置する構成であり、媒体サポート部材１４ａがプリンター本体２のケース３から引き出された際、媒体サポート部材１４ａの自重によって、被ガイド部１１の下端部１１ａが傾斜案内面７と接触し、下端部１１ａが傾斜案内面７に案内されながら支持部６まで移動することによって、媒体サポート部材１４ａの姿勢がガイドレール４の案内方向である鉛直方向Ｚに対して傾き、ケース３に対する媒体サポート部材１４ａの姿勢が所定の姿勢となる構成であることを特徴とする。
【００５３】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００５４】
１  プリンター複合機、２  プリンター本体、３  ケース、４  ガイドレール、
５  被保持領域、６  支持部、７  傾斜案内面（案内面）、８  第１ガイド手段、
９  当接部、１０  第２ガイド手段、１０ａ  傾斜面、１１  被ガイド部、
１１ａ  下端部、１１ｂ  上端部、１２  スキャナー部、１３  載置部、
１４  第１載置部、１４ａ  媒体サポート部材、１４ｂ  ホッパー、１５  第２載置部、
１５ａ  カセット部、１６  送り手段、１７  第１ローラー、１８  第２ローラー、
１９  第３ローラー、２０  アーム部、２１  第１ローラー対、２２  第２ローラー対、
２３  送り経路、２４  表裏反転用経路、２５  記録部、２６  キャリッジ、
２７  記録ヘッド、２８  媒体支持部、３１  第１排出スタッカー、
３３  媒体搬送装置、３４  第３載置部、３５  第２排出スタッカー、３６  下降位置、
Ａ  案内軌跡、Ａ１  延長線、Ｐ  プリンター本体で送られる用紙、
Ｓ  媒体搬送装置で送られる用紙、Ｘ  幅方向、Ｙ  記録時の送り方向、Ｚ  鉛直方向
【図１】
0005793907.tif 000002
【図２】
0005793907.tif 000003
【図３】
0005793907.tif 000004
【図４】
0005793907.tif 000005
【図５】
0005793907.tif 000006
【図６】
0005793907.tif 000007
【図７】
0005793907.tif 000008
【図８】
0005793907.tif 000009